(57)【要約】【課題】表示部の選択を自由にできる照光式キーシートを提供する。【解決手段】本発明に係る照光式キーシートは、照光式キーシートにおいて、表示要素を表示する表示部と、前記表示部の上方に位置するとともに、受光部で受光した光を導光し、導光した光により前記表示要素を上側から照らす導光部と、を備えることを特徴とする照光式キーシートである。【選択図】図５
2011222120.tif 000002
【特許請求の範囲】
【請求項１】
照光式キーシートにおいて、
表示要素を表示する表示部と、
前記表示部の上方に位置するとともに、受光部で受光した光を導光し、導光した光により前記表示要素を上側から照らす導光部と、
を備えることを特徴とする照光式キーシート。
【請求項２】
請求項１記載の照光式キーシートにおいて、
前記導光部は、透明であり、導光形状を有することを特徴とする照光式キーシート。
【請求項３】
請求項２記載の照光式キーシートにおいて、
前記導光部は、前記受光部から遠ざかるにつれて厚さが薄くなっていることを特徴とする照光式キーシート。
【請求項４】
請求項１記載の照光式キーシートにおいて、
前記表示部は、非透光性を有し、かつ、非自発光であることを特徴とする照光式キーシート。
【請求項５】
請求項１記載の照光式キーシートにおいて、
前記表示部の下方の位置に押し子をさらに備えることを特徴とする照光式キーシート。
【請求項６】
請求項１記載の照光式キーシートにおいて、
前記導光部の上方に位置する透光性を有するキー部材をさらに備え、
前記透光性を有するキー部材は、表面全面に固着層を設けたシート状部材と、前記固着層により前記シート状部材の表面に固着したキーと、を備えることを特徴とする照光式キーシート。
【請求項７】
請求項１記載の照光式キーシートにおいて、
前記表示部は、電子ペーパーであることを特徴とする照光式キーシート。
【発明の詳細な説明】
【技術分野】
【０００１】
本発明は、携帯電話機(所謂ＰＨＳも含む)、ＰＤＡ（ｐｅｒｓｏｎａｌ  ｄｉｇｉｔａｌ  ａｓｓｉｓｔａｎｃｅ）、携帯オーディオ、家電製品用リモートコントローラ、又はキーボード等の電子機器に使用する照光式キーシートに関する。
【背景技術】
【０００２】
照光式キーシートは、表示要素を表示する表示部と、透光性を有するキーと、を備える。そして、照光式キーシートは電子機器に組み込まれた場合にこの電子機器の内部光源からの光で表示要素が照らされることにより、キーの操作者が暗所であっても前記表示要素を認識できるキーシートである。
【０００３】
従来の照光式キーシートの一例として、キートップを配置するキーベースを導光部にしたものがある。例えば、特許文献１には、「透明性材料からなり光源からの光を導光する導光フィルムと、上記導光フィルムの裏面に形成され上記光源からの光を上記導光フィルムの天面側に形成されたキートップへ反射する反射手段と、上記反射手段の裏面に上記キートップと対応して設けられた押し子と、からなることを特徴とするキーベース」（特許文献１の請求項１参照）が開示されている。
【０００４】
【特許文献１】特開２００８−１３０５０６
【発明の開示】
【発明が解決しようとする課題】
【０００５】
しかし、特許文献１に「上記各キートップ６、６、・・・は、・・・例えば天面加飾タイプ或いは裏面加飾タイプの表示が形成されている」（特許文献１の明細書［００２３］参照）との記述があるように、従来の照光式キーシートでは、表示要素を表示する表示部がキートップに設けられている。すなわち、従来の照光式キーシートでは、導光部（導光フィルム）が表示部の下側に配置され、表示要素が下側から照らされる（特許文献１の図４等を参照）。このため、従来の照光式キーシートでは、表示要素を、透光性を有する抜き文字等で表現する必要があった。このため、表示要素を表示する表示部の選択には限界があった。
【０００６】
本発明は上記点に鑑みてなされたものであり、その目的とするところは、表示部の選択を自由にできる照光式キーシートを提供することにある。
【課題を解決するための手段】
【０００７】
本発明に係る照光式キーシートは、
照光式キーシートにおいて、
表示要素を表示する表示部と、
前記表示部の上方に位置するとともに、受光部で受光した光を導光し、導光した光により前記表示要素を上側から照らす導光部と、
を備えることを特徴とする。
【０００８】
また、本発明に係る照光式キーシートの一例として、
前記導光部は、透明であり、導光形状を有することを特徴とする。
【０００９】
また、本発明に係る照光式キーシートの一例として、
前記導光部は、前記受光部から遠ざかるにつれて厚さが薄くなっていることを特徴とする。
【００１０】
また、本発明に係る照光式キーシートの一例として、
前記表示部は、非透光性を有し、かつ、非自発光であることを特徴とする。
【００１１】
また、本発明に係る照光式キーシートの一例として、この照光式キーシートは、
前記表示部の下方の位置に押し子をさらに備えることを特徴とする。
【００１２】
また、本発明に係る照光式キーシートの一例として、この照光式キーシートは、
前記導光部の上方に位置する透光性を有するキー部材をさらに備え、
前記透光性を有するキー部材は、表面全面に固着層を設けたシート状部材と、前記固着層により前記シート状部材の表面に固着したキーと、を備えることを特徴とする。
【００１３】
また、本発明に係る照光式キーシートの一例として、
前記表示部は、電子ペーパーであることを特徴とする。
【００１４】
本発明においては、以下の定義が適用される。
（１）「表示要素」とは、照光式キーシートが備える表示部が表示するデザインの要素をいう。「表示要素」は、例えば、キーの機能を表す数字、文字、記号、又は図形等をいうが、キーの区画を示す仕切り線、又は、キーの機能と関係のないグラフィックアートであっても良い。表示部の例としては、所定の部材に設けた加飾層と、電子ペーパー又は反射型ＬＣＤ（液晶表示装置）等のディスプレイ部材と、がある。加飾層は、印刷又は塗装等の適宜の方法で設けることができる。
（２）「透光性」とは、光を透過させる性質をいう。「透光性」を有する構成要素の例は、透過率が３０パーセント以上である部分を少なくとも一部に有する構成要素である。「透光性」を有する構成要素のさらに具体的な例は、透明の構成要素、または、貫通孔等の物質が存在しない部分を有する構成要素である。
（３）「透明」とは、無色透明の他、有色透明も含む。
（４）「非透光性」とは、完全に光を透過しない性質をいうが、この光を少量透過する性質も含む。「非透光性」を有する構成要素の例は、この構成要素の少なくとも一部の光の透過率が３０パーセント未満で、残りの部分が完全に光を透過しない部分である構成要素であるか、全ての部分が完全に光を透過しない構成要素である。
（５）「上方」及び「上側」等に用いられる「上」とは、照光式キーシートのキーの天面側の方向をいう。
（６）「表面」とは、照光式キーシートのキーの天面側の面をいう。
（７）「下方」、「下側」及び「下面」等に用いられる「下」とは、上記「上」と反対の方向であり、例えば、照光式キーシートを配置する基板側の方向をいう。
（８）「裏面」とは、上記「表面」と反対の面をいい、照光式キーシートを配置する基板側の面をいう。
（９）「側面」とは、「表面」と「裏面」とを除いた面である。
（１０）「光」とは、主に可視光をいう。
【発明の効果】
【００１５】
本発明に係る照光式キーシートでは、導光部が表示部の上方に位置するので、表示部を下側から照らすのではなく、上側から照らすことができる。このため、表示部の選択の限界が無くなり、表示部の選択を自由にできる。
【発明を実施するための最良の形態】
【００１６】
本発明の実施形態の例について図面を参照しながら説明する。なお、図面において、同様のもの、対応するもの、又は総称できるものについては同じ符号を付して説明する場合がある。本発明は下記の実施形態にのみ限定されるものではない。本発明の要旨を逸脱しない範囲で下記の実施形態に変更（例えば構成要素の省略又は付加、又は、構成要素の形状の変更等）を加えることが出来るのはもちろんである。
【００１７】
（１）第一実施形態
図１は、第一実施形態に係る照光式キーシートを組み込んだ携帯電話機の斜視図である。図１のように、第一実施形態に係る照光式キーシート１（本実施形態の説明中では単にキーシート１という。）は、携帯電話機１００に組み込まれる。詳しくは後述するが、キーシート１は、表示部５と、その上に位置する導光部３と、を備える（図２等を参照）。表示部５は、表示要素５ａと、表示要素５ｂと、を表示する。表示要素５ａは、キーの機能を表す数字又は記号である。表示要素５ｂは、キーの区画を示す仕切り線である。
【００１８】
携帯電話機１００の操作者（キーの操作者ともいう、以下では、単に操作者という。）は、照光時及び非照光時において、導光部３を介して表示要素５ａと、表示要素５ｂと、を視認する。非照光時には、携帯電話機１００の外部の光（例えば自然光）により、表示要素５ａ及び５ｂが照らされる。操作者は、この照らされた表示要素５ａ及び５ｂを視認する。照光時には、携帯電話機１００内部の光源（以下では、単に光源１０１（図５参照）という。）からの光が導光部３により導光され、導光された光により、表示要素５ａ及び５ｂが照らされる。操作者は、この照らされた表示要素５ａ及び５ｂを視認する。
【００１９】
図２は、第一実施形態に係る照光式キーシートの分解斜視図である。なお、図中の丸で囲まれた部分は、導光部を拡大した様子を示す。図３は、第一実施形態に係る照光式キーシートが備える押し子シートを裏面側からみた斜視図である。図４は、第一実施形態に係る照光式キーシートの概略断面図である。なお、図中の丸で囲まれた部分は、導光部を拡大した様子を示す。
【００２０】
キーシート１は、表示部５と、表示部５の上方に位置する導光部３と、表示部５の下方に位置する押し子シート７と、を備える。押し子シート７は押し子７ａａを有するので、キーシート１は表示部５の下方に位置する押し子７ａａを有する。
【００２１】
導光部３は、受光部３ａ（図５参照、以下同じ）を備える。導光部３は、受光部３ａで受光した光（光源１０１からの光）を導光し、導光した光により表示要素５ａ及び５ｂ（図１参照、以下同じ。）を上側から照らす（照明する）。これによって、表示要素５ａ及び５ｂを表示する表示部５で反射された光が導光部３を通って外部に出射して、携帯電話機１００の操作者に表示部５の表示要素５ａ及び５ｂを視認可能にする。導光部３が表示部５の上方に位置するので導光部３は、表示要素５ａ及び５ｂを上側から照らすことができる。受光部３ａは、キーシート１を携帯電話１００に組み込んだ場合における、導光部３の側面のうちの光源１０１に最も近い面になる。受光部３ａ及び光源１０１は、複数あっても良い。
【００２２】
導光部３は、シート状に形成される。また、導光部３は、受光部３ａから遠ざかるにつれて厚さが薄くなっている。本実施形態では、導光部３の厚さは、線形的に薄くなっている。他の例として、導光部３の厚さは、非線形的又は不連続的に薄くなってもよい。
【００２３】
さらに、導光部３は、透明であり、導光形状３ｂを有する。導光部３は、表示部５の上に位置するので透明である必要がある。キーの操作者は、非照光時及び照光時において、表示要素５ａ及び５ｂを導光部３を介して視認するからである。
【００２４】
導光形状３ｂとは、受光部３ａにより受光した光を反射して導光部３内部に光を導光させ、導光させた光で表示部３（表示要素５ａ及び５ｂ）を照らす形状である。導光形状３ｂは、適宜の位置に設けることができる。本実施形態では、導光部３の表面全面に導光形状３ｂを設けている。しかし、導光形状３ｂは、導光部３の表面の少なくとも一部、裏面の少なくとも一部、又はその両方に設けることができる。操作者が導光部３を介して表示要素５ａ及び５ｂを視認することができるように、導光形状３ｂは、微細な形状の集合により構成することが望ましい。本実施形態の導光形状３ｂは、主に光を反射する反射面３ｂａと、主に光を透過する透過面３ｂｂと、からなる微細な凹凸の集合である。この凹凸は、直線状に設けられる。直線状の凹凸は、受光部３ａと平行になるように設けられる。導光部３は、受光部３ａから遠ざかるにつれて厚さが薄くなっている。なお、導光部３による光の導光については後述する。
【００２５】
上記凹凸の形状の一例を以下に示す。なお、下記の記号等は、図５参照。
（１）反射面３ｂａと、透過面３ｂｂとの間の角度θ１・・・・・１００度から１４０度
（２）透過面３ｂｂと水平面との間の角度θ２・・・・・・・・１．０度から３．０度
（３）凸部の頂点間の長さＤ・・・・・・・・・・・・・・・０．１ｍｍから０．４ｍｍ
【００２６】
導光部３は、合成樹脂又はガラス等の適宜の材料により形成される。合成樹脂の例は、一般的な熱可塑性樹脂又は熱硬化性樹脂である。一般的な熱可塑性樹脂又は熱硬化性樹脂の例は、ＰＥＴ（ポリエチレンテレフタラート系）樹脂、ＰＣ（ポリカーボネイト系）樹脂、ポリウレタン系樹脂、アクリル系樹脂、又はシリコーン系樹脂である。合成樹脂は、アクリル系、エポキシ系、ビニル系、又はシリコーン系等の電磁波硬化性樹脂又は電子線硬化性樹脂であってもよい。電磁波硬化性樹脂とは、電磁波が照射されると硬化する樹脂で、紫外線硬化性樹脂（ＵＶ硬化性樹脂）又は可視光硬化性樹脂などの光硬化性樹脂があり、また、電子線硬化性樹脂とは、電子線(陰極線)が照射されると硬化する樹脂である。
【００２７】
導光部３の形成方法は、材料等によって適宜の方法を採用できる。例えば、導光部３は射出成形により形成される。射出成形の金型には、導光形状３ｂを形成するための形状が微細加工等により設けられる。
【００２８】
表示部５は、表示要素５ａ及び５ｂを表示する。本実施形態では、表示部５は、電子ペーパーである。電子ペーパーは、携帯電話機１００に設けられた所定の駆動部に接続される。そして、この電子ペーパーは、前記駆動部により駆動され、表示要素５ａ及び５ｂを表示する。他の例として、表示部５は、導光部３の裏面又は押し子シートの表面に設けた加飾層であってもよい。加飾層には、表示要素が含まれ、この加飾層は、表示要素５ａ及び５ｂを表示することになる。
【００２９】
表示部５は、非透光性を有し、かつ、非自発光である。表示部５がこのような性質のものを採用できる理由は、導光部３が表示部５の上方に位置し、表示部３を、下側から照らすのではなく、上側から照らすことができることにある。このように、導光部３が表示部５の上方に位置し、導光部３が導光する光で表示部（表示要素５ａ及び５ｂ）を上側から照らすことにより、表示部３の選択の限界が無くなり、表示部３の選択を自由にできる。非透光性を有し、かつ、非自発光である表示部５の例としては、上記電子ペーパーと、反射型ＬＣＤと、非透光性を有し、かつ、非自発光である加飾層と、がある。
【００３０】
押し子シート７は、シート状部材７ｂに押し子層７ａを一体的に設けて形成される。押し子層７ａは、押し子７ａａと、この押し子７ａａの周辺に位置する薄肉部７ａｂからなる。押し子シート７は、適宜の方法により形成される。押し子シート７の形成方法の一例は、金型にシート状部材７ｂをインサートしてシート状部材７ｂに押し子層７ａを一体的に設けるインサート成形である。また、押し子シート７の形成方法の一例は、シート状部材７ｂに押し子層７ａを印刷するグラビア印刷である。
【００３１】
シート状部材７ｂ及び押し子層７ａは、合成樹脂等の適宜の材料により形成される。合成樹脂の例は、一般的な熱可塑性樹脂又は熱硬化性樹脂である。一般的な熱可塑性樹脂又は熱硬化性樹脂の例は、ＰＥＴ（ポリエチレンテレフタラート系）樹脂、ＰＣ（ポリカーボネイト系）樹脂、ポリウレタン系樹脂、アクリル系樹脂、又はシリコーン系樹脂である。合成樹脂は、アクリル系、エポキシ系、ビニル系、又はシリコーン系等の電磁波硬化性樹脂又は電子線硬化樹脂であってもよい。シート状部材７ｂは、ポリウレタンシート等が好適である。押し子層７ａは、電磁波硬化性樹脂又はシリコーンゴム等により形成するのが好適である。
【００３２】
なお、押し子シート７は表示部５の下方にあるので、押し子シート７の構成要素のうちの少なくとも一つは、非透光性であってもよい。照光時には表示要素５ａ及び５ｂを上側から照らすので、表示要素５ａ及び５ｂの視認性を確保できるからである。このように、導光部３が表示部５の上方にあり、導光部３が導光した光により表示要素５ａ及び５ｂが上から照らされることで、押し子シート７、特に押し子７ａａの設計の幅が広がる。また下記のように照光による影が出来なければ、きれいに表示要素５ａ及び５ｂを操作者に視認させることが出来る。
【００３３】
また、照光時には表示要素５ａ及び５ｂを上側から照らすので、表示部５が非透光性である場合には、表示部５の下の押し子シート７（特に押し子７ａａ）の影によって表示要素５ａ及び５ｂの視認性及び又はキーシート１の外観が悪くなるといったような不都合が解消される。このため、きれいに表示要素５ａ及び５ｂを操作者に視認させることが出来る。これは、特に導光部３と、表示部５との間に、他の構成要素が介在しないときに最も言える。これにより、押し子シート７、特に押し子７ａａの設計の幅が広がる。
【００３４】
キーシート１は、表示部５の下方の位置に押し子７ａａを有していれば良い。このため、押し子をキーシート１の構成要素とする方法は他にもある。例えば、押し子又はこれを含む押し子層を表示部３の裏面に電磁波硬化性樹脂等で直接一体的に形成してもよい。
【００３５】
キーシート１の各構成要素（導光部３、表示部５、及び押し子７ａａ）の位置関係が重要である。位置関係とは、携帯電話機１００にキーシート１を組み込んだ場合における位置関係である。このため、隣接する構成要素同士の少なくとも一部は固着して固定してもよいし、隣接する構成要素同士の少なくとも一部が当接するだけでも良いし、構成要素同士の間に空間又は他の構成要素が介在していても良い。なお、導光部３と表示部５との間に構成要素がある場合及び又は両者を固着する場合には、この構成要素及び又は固着するのに用いる固着層は表示要素５ａ及び５ｂの視認性を阻害しないように透光性を有する必要がある。
【００３６】
導光部３及び表示部５を設計すれば、導光部３の上に適宜キー部材を設けることが出来るため（第二実施形態参照）、キーシート１の設計が自由に出来るため、デザインの自由化等を実現できる。
【００３７】
さらに、表示部５が電子ペーパー又は反射型ＬＣＤなどのディスプレイ部材であれば、表示要素５ａ及び５ｂのデザインを自由に変える事ができる。このため、導光部３及び表示部５を予め生産しておき、キー部材を後から設ける又は設けない等のキーシート１全体のデザインが出来る。キーシート１全体のデザインが決定した後で、表示要素５ａ及び５ｂのデザインが出来るからである。これにより、キーシート１の在庫管理の容易化、キーシート１の提供の迅速化が出来る。
【００３８】
なお、本実施形態において、導光部３の中の少なくとも一の表示要素５ａに対応する領域（表示要素５ｂにより仕切られた領域でもある。）がキーになる。すなわち、導光部３は、各キーの役割も果たす。このように、キーを構成する部材に導光形状３ａを設けて導光部３とすることができる。このように、導光部３に導光以外の他の役割を付加しても良い。
【００３９】
携帯電話機１００にキーシート１を組み込んだ場合、押し子７ａａは携帯電話機１００の基板上に設けたメタルドームに当接する。導光部３の所定の位置（すなわち所定のキーであり、押し子７ａａに対応している。）を操作者が押圧すると、各構成要素（導光部３、表示部５、及び押し子シート７）が変形する。とくに、各構成要素の前記所定の位置に対応する領域が下方に移動するように変形する。これにより、前記所定のキーに対応する押し子７ａａが下方に移動し、下方に移動した押し子７ａａがメタルドームを押圧変形させる。この押圧変形により、メタルドームは、メタルドーム直下の接点を短絡させるともに、クリック感を発生させる。なお、前記の構成要素の変形を助けるために、各構成要素に適宜切り込み及び又は溝等を入れても良い。
【００４０】
図５は、導光部が光源からの光を導光する様子を説明する概略説明図である。光源１０１は、棒状のもの等を採用することが出来、これにより受光部３ａ全体を均一に照らすことができる。本実施形態のように、光源１０１の一例は、ＬＥＤ(発光ダイオード)を備えるものである。図５の矢印は、光の経路を示す。光源１０１からの光（光源１０１により出射された光）は、受光部３ａが受光する。受光した光は、導光部３内を進む。この光は反射面３ｂａ、及び又は、導光部の下面の上側面３ｃ（又は、表示部５の表面等）を反射しながら導光部３内を進む（光が導光される）。そして、この光は、表示部３（特に表示要素等）で反射し、透過面３ｂｂを透過して導光部３から外部に出射し、操作者の目に入る。このように、導光部３は、受光部３ａで受光した光（光源１０１からの光）を導光し、導光した光により表示要素５ａ及び５ｂを上側から照らすので、操作者は照光時において表示要素５ａ及び５ｂを視認できる。
【００４１】
ところで、導光部３の厚さが受光部３ａから遠ざかるにつれて薄くなっていることと、導光部３に導光形状３ｂを設けることにより、導光部３は、表示部５（特に一以上の表示要素の集合）を均一に照らすことができる。これは特に、凹凸を導光部３の表面全面に受光部３ａと平行になるように設けることによっていえることでもある。これは、例えば、導光部３の厚さが受光部から遠ざかるにつれて薄くなるにつれて、導光部３内を進む光が反射面３ｂに当たりやすくなり、光が反射されやすくなり、この反射した光が表示部３で反射して透過面３ｂｂを透過しやすくなるからである。
【００４２】
（２）第二実施形態
図６は、第二実施形態に係る照光式キーシートの分解斜視図である。なお、図中の丸で囲まれた部分は、導光部を拡大した様子を示す。図７は、第二実施形態に係る照光式キーシートの概略断面図である。なお、図中の丸で囲まれた部分は、導光部を拡大した様子を示す。図８は、第二実施形態に係る照光式キーシートを組み込んだ携帯電話機の斜視図である。
【００４３】
第二実施形態に係る照光式キーシート１１（本実施形態の説明中では単にキーシート１１という。）は、照光式キーシート１と同じものと、この照光式キーシート１の上方の位置にあるキー部材１９と、を備える。導光部１３は導光部３に対応し、表示部１５は表示部５に対応し、押し子シート１７は押し子シート７に対応する。以下の説明では、第一実施形態と異なる部分について説明し、第一実施形態と重複する説明については省略する。
【００４４】
キー部材１９は、導光部１３の上方に位置し、透光性を有する。キー部材１９は、表面全面に固着層１９ｃ（図７を参照、図６では省略。）を設けたシート状部材１９ｂと、固着層１９ｃによりシート状部材１９ｂの表面に固着したキー１９ａと、を備える。
【００４５】
表示部１５が表示する表示要素１５ａ（表示要素５ａに対応する。）及び１５ｃは、導光部１３とキー部材１９とを介して視認されるため、キー部材１９も透光性を有する必要がある。このため、キー部材１９を構成するキー１９ａ、シート状部材１９ｂ、及び固着層１９ｃは透光性を有する必要があり、特に透明であることが望ましい。
【００４６】
キー１９ａは、操作感の観点から硬質であることが望ましい。また、シート状部材１９ｂは、キー１９ａの下方への移動を阻害しないように、柔軟性を有することが望ましい。キー１９ａ及びシート状部材１９ｂは、合成樹脂等の適宜の材料により形成される。合成樹脂の例は、一般的な熱可塑性樹脂又は熱硬化性樹脂である。一般的な熱可塑性樹脂又は熱硬化性樹脂の例は、ＰＥＴ（ポリエチレンテレフタラート系）樹脂、ＰＣ（ポリカーボネイト系）樹脂、ポリウレタン系樹脂、アクリル系樹脂、又はシリコーン系樹脂等である。合成樹脂は、アクリル系、エポキシ系、ビニル系、又はシリコーン系等の電磁波硬化性樹脂又は電子線硬化樹脂であってもよい。シート状部材１９ｂは、ポリウレタンシート等が好適である。キー１９ａは、ＰＣ等により形成するのが好適である。
【００４７】
固着層１９ｃは、例えばホットメルト接着層によって実現される。固着層１９ｃがシート状部材１９ｂの表面全面に設けられていると、キー１９ａは、シート状部材１９ｂに全面接着される。これにより、接着剤が存在していない部分が無くなり、接着剤が存在している部分と存在しない部分があることによって出来る影の発生を防止でき、きれいに照光できる。
【００４８】
導光部１３の表示部１５（表示要素１５ａ又は１５ｃ）で反射され、透過面１３ｂｂ（透過面３ｂｂに対応する。）を透過した光は、キー部材１９内を透過して、操作者の目に入り、操作者は表示要素１５ａ又は１５ｃを視認する。
【００４９】
表示部１５は、表示要素１５ａの他、表示要素１５ｃを表示する。表示要素１５ｃは、キーの機能と関係のないグラフィックアートである。導光部３が表示部１５の上方に位置するために、このような斬新なデザインの携帯電話機１１０を提供できる。
【００５０】
導光部１３と、キー部材１９とは、少なくとも一部を固着して固定してもよいし、少なくとも一部が当接するだけでも良いし、両者の間に空間又は他の構成要素が介在していても良い。なお、導光部１３と、キー部材１９との間に構成要素がある場合及び又は両者を固着する場合には、この構成要素及び又は固着するのに用いる固着層は表示要素１５ａ及び１５ｃの視認性を阻害しないように透光性のものである必要がある。
【００５１】
キー１９ａと、一以上の押し子１７ａａ（押し子７ａａに対応する。）と、は互いに対応して位置する。所定のキー１９ａを操作者が押圧すると、各構成要素（キー部材１９、導光部１３、表示部１５、及び押し子シート１７）が変形する。とくに、各構成要素の前記所定のキー１９ａに対応する領域が下方に移動するように変形する。これにより、前記所定のキー１９ａに対応する押し子１７ａａが下方に移動し、下方に移動した押し子１７ａａがこの押し子１７ａａに当接するメタルドームを押圧変形させる。
【図面の簡単な説明】
【００５２】
【図１】第一実施形態に係る照光式キーシートを組み込んだ携帯電話機の斜視図である。
【図２】第一実施形態に係る照光式キーシートの分解斜視図である。なお、図中の丸で囲まれた部分は、導光部を拡大した様子を示す。
【図３】第一実施形態に係る照光式キーシートが備える押し子シートを裏面側からみた斜視図である。
【図４】第一実施形態に係る照光式キーシートの概略断面図である。なお、図中の丸で囲まれた部分は、導光部を拡大した様子を示す。
【図５】導光部が光源からの光を導光する様子を説明する概略説明図である。
【図６】第二実施形態に係る照光式キーシートの分解斜視図である。なお、図中の丸で囲まれた部分は、導光部を拡大した様子を示す。
【図７】第二実施形態に係る照光式キーシートの概略断面図である。なお、図中の丸で囲まれた部分は、導光部を拡大した様子を示す。
【図８】第二実施形態に係る照光式キーシートを組み込んだ携帯電話機の斜視図である。
【符号の説明】
【００５３】
１                  照光式キーシート
３                  導光部
３ａ                受光部
３ｂ                導光形状
３ｂａ              反射面
３ｂｂ              透過面
３ｃ                導光部の下面の上側面
５                  表示部
５ａ、５ｂ          表示要素
７                  押し子シート
７ｂ                シート状部材
７ａ                押し子層
７ａａ              押し子
７ａｂ              薄肉部
１１                照光式キーシート
１３                導光部
１３ｂｂ            透過面
１５                表示部
１５ａ、１５ｃ      表示要素
１７                押し子シート
１７ａａ            押し子
１９                キー部材
１９ａ              キー
１９ｂ              シート状部材
１９ｃ              固着層
１００              携帯電話機
１０１              光源
１１０              携帯電話機
【図１】
2011222120.tif 000003
【図２】
2011222120.tif 000004
【図３】
2011222120.tif 000005
【図４】
2011222120.tif 000006
【図５】
2011222120.tif 000007
【図６】
2011222120.tif 000008
【図７】
2011222120.tif 000009
【図８】
2011222120.tif 000010